(57)【要約】【課題】電気的収容装置により検出された状況データを保存するためのデータ収集装置を提供し、これにより所望のデータを定期的に記録するオペレータの指定を不要にしてデータの記録の際の人為的ミスを回避し得るようにすること。【解決手段】電気的収容装置に取り付けられるデータ収集装置はデータ読取機とベースとを有する。データ読取機は電気的収容装置により検出された状況データを保存するために電気的収容装置に接続される。保存されたデータは特別なフォーマットを有する。データ読取機における保存データはベースを介してコンピュータに伝送することができる。コンピュータは、状況データを示すように統計図表を作製する。この図表により、電気的収容装置の内部状態が正常であるか否かが容易に監視される。【選択図】図１
0003119339.tif 000002
【実用新案登録請求の範囲】
【請求項１】
電気的収容装置に取り付けられるデータ収集装置であって、
前記電気的収容装置に接続される、前記電気的収容装置により検出された周囲状況データを読み取るためのデータ伝送インタフェースであって前記電気的収容装置から電力信号を受け取るデータ伝送インタフェースと、
前記データ伝送インタフェースに接続された、受け取られ又は伝送されたデータを一時的に保存するためのバッファと、
前記バッファに接続され、前記受け取られたデータを処理し又は処理されたデータを前記バッファに伝送するためのマイクロプロセッサと、
前記マイクロプロセッサに接続された、前記マイクロプロセッサの実行コードを保存するためのメモリと、
前記マイクロプロセッサに接続された、前記マイクロプロセッサの動作情報を示すためのディスプレイとを含む、データ収集装置。
【請求項２】
前記周囲状況データは１１のバイト値で表され、前記１１のバイト値は始符号のための２バイトと、湿度値のための２バイトと、十進値及び湿度の正／負値のための１バイトと、温度値のための２バイトと、十進値及び温度の正／負値のための１バイトと、検査符号のための１バイトと、終符号のための２バイトとを含む、請求項１に記載のデータ収集装置。
【請求項３】
電気的収容装置に取り付けられるデータ収集装置であって、
前記電気的収容装置に接続される、前記電気的収容装置により検出された周囲状況データを読み取るための第１のデータ伝送インタフェースであって前記電気的収容装置から電力信号を受け取る第１のデータ伝送インタフェースと、前記第１のデータ伝送インタフェースに接続された、受け取り又は伝送されたデータを一時的に保存するための第１のバッファと、前記第１のバッファに接続された、前記受信データを処理し又は書誌されたデータを前記第１のバッファに伝送するためのマイクロプロセッサと、前記マイクロプロセッサに接続された、前記マイクロプロセッサの実行コードを保存するためのメモリとを有するデータ読取機と、
前記データ読取機に電気的に接続されるベースであって、受け取られ又は伝送されたデータを一時的に保存するための第２のバッファを有するベースと、前記第２のバッファに接続された第２のデータ伝送インタフェースであって前記第２のバッファに保存されたデータが前記第２のデータ伝送インタフェースを通して外部のコンピュータに伝送される第２のデータ伝送インタフェースと、前記第２のバッファに接続された、前記マイクロプロセッサの動作情報を示すためのディスプレイとを有するベースとを含む、データ収集装置。
【請求項４】
前記周囲状況データは１１のバイト値で表され、前記１１のバイト値は始符号のための２バイトと、湿度値のための２バイトと、十進値及び湿度の正／負値のための１バイトと、温度値のための２バイトと、十進値及び温度の正／負値のための１バイトと、検査符号のための１バイトと、終符号のための２バイトとを含む、請求項３に記載のデータ収集装置。
【請求項５】
前記データ読取機は底面と、頂面と、複数の側面とを有する矩形の本体を有し、前記第１のデータ伝送インタフェースは一の側面に形成され、前記データ読取機の作動のオン−オフのために前記頂面にスイッチが設けられ、表示ランプが一側面に設けられ、また多数の接点が前記ベースに電気的に接続されるように前記底面に形成されている、請求項３又は４に記載のデータ収集装置。
【請求項６】
前記ベースは頂面及び複数の側面と、前記ディスプレイの輝度を調整するためのチューナとを有し、突出したＵ形フランジが、前記データ読取機を保持するための開放プラットフォームを構成するように前記頂面に形成され、多数の接点が前記データ読取機に電気的に接続されるように前記頂面に形成され、前記第２のデータ伝送インタフェースと前記ディスプレイとが前記ベースの側面に据え付けられている、請求項３又は４に記載のデータ収集装置。
【考案の詳細な説明】
【技術分野】
【０００１】
本考案は、データ収集装置、より詳細には電気的防湿キャビネットのような、目標とする電気的装置から取り外し可能であるデータ収集装置に関する。
【背景技術】
【０００２】
ある環境では、周囲の湿気がデジタルカメラ、ビデオカメラ、ノートブック型コンピュータ、電子辞書、ＰＤＡ、マイク、充電器及び他の電子装置のようなデジタル製品に容易に侵入し、これらの当初の精密性を失わせ、あるいはこれらの経年変化を加速させる。光学レンズは、その表面に白カビが生えると使用できないものになる。加えて、磁気テープ、光ディスク、フラッシュメモリ、フィルムストリップ、マイクロフィルム、カセットテープ、ＣＤ、ＤＶＤ及びレコードのようなデータ記憶媒体も湿気により影響を受け、保存データを失う。顕微鏡、セオドライト、精密測定装置、試薬、化学薬品、粉材、ＩＣパッケージ、発光ダイオード（LED）、液晶ディスプレイ（LCD）及びエポキシ樹脂のような他の品目は、電気的接点に材料劣化又は酸化を生じさせる空気から湿気を容易に吸収し得る。
【０００３】
従来の収容キャビネットは電気製品又は電子製品を収容するために使用されている。前記収容キャビネットは、該収容キャビネット内の温湿度の状況の読み取りを示すためにディスプレイが据え付けられたコントロールボックスを有する。実際、多数の収容キャビネットが異なるタイプの製品を収容するためにしばしば使用に供される。各収容キャビネットの温湿度状態は、全てのキャビネットを物理的に検査しなければならないオペレータによって定期的に収集され、記録されなければならない。収集され、記録されたデータは、管理員によって監視される統計図表を描くため、続いてコンピュータに送信される。オペレータに各キャビネットを物理的に検査することを要求する前記した作業は非能率的であり、また人為的誤りを犯す可能性が非常に高いものである。
【０００４】
従来の他の型の収容キャビネットはケーブルを介してコンピュータにデータを送信することができる。しかし、多数の収容キャビネットと一台のコンピュータとの間を多数のケーブルで接続することは、複雑な配置手続を要する。加えて、前記収容キャビネットの位置を考慮しなければならず、またコンピュータに全ケーブルを接続するための付加的なハブを加えることが必要である。明らかな問題点は、収容キャビネットはこれがコンピュータに接続された後には異なる位置に簡単に動かすことができないということである。
【０００５】
前記した欠点を解消すべく、本考案は、前記した問題を除去するために収容キャビネットに据え付けられ自動的に周囲のパラメータを記録するデータ収集装置を提供する。
【考案の開示】
【考案が解決しようとする課題】
【０００６】
本考案の目的は、電気的収容装置(electrical storage device)により検出された状況データを保存するためのデータ収集装置を提供し、これにより所望のデータを定期的に記録するオペレータの指定を不要にしてデータの記録の際の人為的ミスを回避し得るようにすることにある。
【０００７】
加えて、前記データ収集装置がコンピュータに接続されるとき、前記コンピュータは温湿度状態を示すために保存データに基づいて統計図表を描くことができる。この図表から、電気的収容キャビネット内の状態を容易に監視することができる。
【０００８】
電気的収容装置内に据え付けられる前記データ収集装置は、データ読取機（data reader）とベースとを有する。前記データ読取機は前記電気的収容装置に接続され、前記電気的収容装置により検出された状況データを保存する。保存されたデータは特別なフォーマットを有する。
【０００９】
本考案の特徴及び構成は、添付図面を参照することにより、より容易に理解されよう。
【考案を実施するための最良の形態】
【００１０】
本考案は、収容キャビネット内の物体が理想条件下において収容されていることを確認するため、前記収容キャビネット内の環境条件の読み取りを電子的に記録するデータ収集装置を提供する。
【００１１】
図１を参照すると、本考案に係るデータ収集装置の第１の実施例は、マイクロプロセッサ１１と、ＵＳＢポート１２と、バッファ１３と、メモリ１４と、液晶ディスプレイ１５と、バッテリ１６とで構成されている。
【００１２】
ＵＳＢポート１２は、前記収容キャビネット内に据え付けられたコントロールボックス（図示せず）により検出されたデータを受け取るデータ伝送ポートとして機能する。ＵＳＢポート１２は前記収容キャビネットからの１−１０キロヘルツの周波数及び０−１５アンペアの電流を有する電力信号を回復させることができる。バッファ１３はＵＳＢポート１２に接続されており、受け取られ又は伝送されたデータを一時的に保存する。マイクロプロセッサ１１はバッファ１３と、メモリ１４と、液晶ディスプレイ１５と、バッテリ１６とに接続している。マイクロプロセッサ１１はバッファ１３から前記データ出力を受け取り、これを処理することができ、また処理されたデータをバッファ１３に伝送することができる。さらに、マイクロプロセッサ１１は前記電力信号を受け取ることができる。メモリ１４はマイクロプロセッサ１１の実行コードを保存するように用いられる。前記データ収集装置の動作状態は、液晶ディスプレイ１５上に「動作中」、「停止中」、「データ満杯」のように表示され、また液晶ディスプレイ１５上には前記データ収集装置とコンピュータ（ＰＣ）との間の接続情報が表示される。バッテリ１６はマイクロプロセッサ１１に動作電圧を供給する。
【００１３】
使用に際し、前記データ収集装置はＵＳＢポート１２を介して前記収容キャビネットのコントロールボックスに接続される。前記コントロールボックスはＵＳＢポート１２につながれる対応ＵＳＢポートを有し、前記収容キャビネットのセンサにより収集されたデータを前記データ収集装置に伝送する。前記データ収集装置のいくつかのパラメータ、例えば収集されるデータの最大量、データ収集時間及びモジュールの連続番号を予め設定することができる。状態又は状況のデータが前記データ収集装置に完全に伝送された後、前記データ収集装置は前記コントロールボックスから取り外され、ＵＳＢポート１２を介してコンピュータ/サーバに接続される。マイクロプロセッサ１１は収集されたデータを前記コンピュータ/サーバに送る。前記収集されたデータに基づき、前記コンピュータ/サーバは、前記収容キャビネット内の収容空間における状況が正常であるか否かを監視するための異なる統計図表を作ることができる。前記統計図表は、温度、湿度及び時間の図を含むことができる。前記収容キャビネットは電子的防湿装置、超低湿度キャビネット、高精度オーブン、電子的防湿箱及び耐火キャビネット等からなる。
【００１４】
図２を参照すると、本考案に係るデータ収集装置の第２の実施例は、データ読取機２０と、ベース３０とを含む。データ読取機２０はマイクロプロセッサ２１と、ＲＳ２３２ポート２２と、第１のバッファ２３と、メモリ２４と、バッテリ２６と、データ伝送端子２８とを含む。
【００１５】
ＲＳ２３２ポート２２は、収容キャビネット内に据えられたコントロールボックス（図示せず）により検出されたデータを受け取るデータ伝送ポートである。ＲＳ２３２ポート２２は前記収容キャビネットからの１−１０キロヘルツの周波数及び０−１５アンペアの電流を有する電力信号を回復させる。第１のバッファ２３はＲＳ２３２ポート２２に接続され、受け取ったデータ又は伝送されたデータを一時的に保存する。マイクロプロセッサ２１は第１のバッファ２３と、メモリ２４と、バッテリ２６とに接続している。マイクロプロセッサ２１はバッファ２３からデータ出力を受け取り、これを処理し、あるいは処理されたデータを第１のバッファ２３に伝送する。さらに、マイクロプロセッサ２１は前記電力信号を受け取ることができる。メモリ２４はマイクロプロセッサ２１の実行コードを保存するように用いられる。バッテリ２６はマイクロプロセッサ２１に動作電圧を供給する。
【００１６】
ベース３０は、データ読取機２０から前記データ出力を受け取るためにデータ伝送端子２８に接続されるデータ受け取り端子３８を有する。ベース３０は、第２のバッファ３２と、ＵＳＢポート３４と、液晶ディスプレイ３６とを含む。第２のバッファ３２は、受け取られ又は伝送されたデータを一時的に保存する。受け取られたデータは、さらに、ＵＳＢポート３４を通してコンピュータに伝送することができる。マイクロプロセッサ２１の動作状態は、液晶ディスプレイ３６上に「動作中」、「停止中」、「データ満杯」のように表示され、また液晶ディスプレイ３６上には前記データ収集装置とコンピュータ（ＰＣ）との間の他の接続情報が表示される。
【００１７】
図３Ａ及び図３Ｂを参照すると、データ読取機２０は底面と、頂面と、複数の側面とを有する矩形の本体を備える。ＲＳ２３２ポート２２は一側面に形成されている。データ読取機２０の作動をオン又はオフにするためにボタンの形状のスイッチ２５がデータ読取機２０の前記頂面上に設けられている。表示ランプ２７、例えば発光ダイオードがデータ読取機２０の他の側面に設けられている。データ読取機２０を作動させると、表示ランプ２７が点灯する。データ伝送端子２８は、データ読取機２０の前記底面上に設けられた多数の接点により形成されている。データ読取機２０は、さらに、相対する側部に規定された２つの溝２９を有し、該２つの溝はベース３０へのデータ読取機２０の固定を可能にする。
【００１８】
図４Ａ及び図４Ｂを参照すると、ベース３０は頂面と複数の側面とを有する。データ読取機２０を保持するために前記頂面上に開放プラットホーム４１を形成すべく、突出するＵ形フランジ４０が前記頂面に形成されている。２つのリブ４２が、それぞれ、Ｕ形フランジ４０の相対する内縁部に沿って形成されている。データ読取機２０がベース３０上に据えられるとき、前記ベースの２つのリブ４２がそれぞれデータ読取機２０の２つの溝２９内に保持される。ベース３０のデータ受け取り端子３８は、データ読取機２０の複数の接点２８と選択的に接触するように、前記頂面上に配列された多数の接点により形成されている。ＵＳＢポート３４と液晶ディスプレイ３６とがベース３０の互いに相対する側面に設けられている。さらに、任意のチューナ３６０が、液晶ディスプレイ３６の表示された輝度を調節するため、任意のチューナ３６０がベース３０の一側面に設けられている。
【００１９】
図５を参照すると、使用に際し、データ読取機２０が、ＲＳ２３２ポート２２を介して、電気防湿キャビネット５０のような収容キャビネットの対応するＲＳ２３２ポートに接続される。図６を参照すると、電気防湿キャビネット５０の状況データがデータ読取機２０によりアクセスされかつ収集された後、データ読取機２０は電気防湿キャビネット５０から取り外され、ベース３０に電気的に据え付けられる。ベース３０はＵＳＢポート３４を介して外部のコンピュータ６０又はサーバに接続することができる。マイクロプロセッサ２１は収集されたデータをコンピュータ６０に伝送する。前記収集されたデータに基づき、コンピュータ６０が温度又は湿度の状況を示すための統計図表を作る。この図表により、制御要員は電気防湿キャビネット５０の内部状況が正常であるか否かを監視することができる。
【００２０】
前記データ収集装置から前記外部のコンピュータに伝送された前記データのフォーマットは、１１バイト値により表示することができる。前記１１バイトは、連続する始符号のための２バイト、湿度値のための２バイト、湿度の十進値及び湿度の正／負値のための１バイト、温度値のための２バイト、十進値及び温度の正／負値のための１バイト、検査符号（検査合計）のための１バイトと、終符号のための２バイトからなる。前記始符号は「ＡＢＡＢ」からなる。前記湿度及び温度は、十六進値により表される。前記十進値と、前記湿度及び温度のための正／負値とは全部で４ビットで表される。前記終符号は「０Ｄ０Ａ」である。
【００２１】
さらに、前記データ収集装置から前記外部コンピュータに伝送された前記データのフォーマットは３バイト信号とすることができる。前記３バイトは、連続する始符号のための１バイト、湿度値のための１バイト及び温度値のための１バイトからなる。前記始符号は「ＡＡ」である。前記湿度及び温度は十六進値により表される。さらに、前記温度から３０を差し引くことにより実際の温度値を得ることができる。
【００２２】
終わりに、本考案の利点について、前記データ収集装置は、所望のデータを定期的に記録するためのオペレータを指定する必要をなくすように、電気収容キャビネットの前記状況データを自動的にかつ正確に保存することができることである。前記データ収集装置がコンピュータに接続されると、前記コンピュータは前記温度又は湿度の状態を示す統計的図表を作製することができる。この図表によれば、前記電器収容キャビネットの内部状態が正常であるか否かを容易に監視することができる。
【００２３】
本考案の多数の特徴及び利点について本考案の構造及び特徴の詳細と共に先に示したが、この開示は例示に過ぎない。種々の変更、特に本考案の原理の範囲にある部品の形状、寸法及び配列の事項について、請求の範囲に示された語句の広い一般的意味で表された範囲までなされ得る。
【図面の簡単な説明】
【００２４】
【図１】本考案に係るデータ収集装置の第１の実施例のブロック線図である。
【図２】本考案に係るデータ読取機とベースとからなるデータ収集装置の第２の実施例のブロック線図である。
【図３Ａ】図２の本考案に係る第２の実施例に従うデータ読取機の斜視図である。
【図３Ｂ】図３Ａのデータ読取機の斜視図である。
【図４Ａ】図２の本考案の第２の実施例に従うベースの斜視図である。
【図４Ｂ】図４Ａのベースの斜視図である。
【図５】電気防湿キャビネットに接続された図３Ａのデータ読取機の斜視図である。
【図６】図４Ａのベースに接続された図３Ａのデータ読取機の斜視図である。
【符号の説明】
【００２５】
１１，２１  マイクロプロセッサ
１２，３４  ＵＳＢポート
１３  バッファ
１４，２４  メモリ
１５，３６  液晶ディスプレイ
２０，３０  データ読取機及びベース
２２  ＲＳ２３２ポート
２３，３２  第１及び第２のバッファ
【図１】
0003119339.tif 000003
【図２】
0003119339.tif 000004
【図３Ａ】
0003119339.tif 000005
【図３Ｂ】
0003119339.tif 000006
【図４Ａ】
0003119339.tif 000007
【図４Ｂ】
0003119339.tif 000008
【図５】
0003119339.tif 000009
【図６】
0003119339.tif 000010